(57)【要約】【課題】本体を運転させ回転手段を作動させても回転手段の微振動による音の発生による入浴者の不快感を生じさせないことを目的とする。【解決手段】ナット４３とリング３９との間に緩衝材４１を設けたという構成にしたことにより、ナット４３の回転方向の力を緩衝材４１で吸収するので、本体ケースを運転させ回転手段すなわち破砕モータ１９を作動させても回転手段の微振動による音の発生による入浴者の不快感を生じさせないミストサウナ装置を得られる。【選択図】図８
2015062448.tif 000002
【特許請求の範囲】
【請求項１】
本体ケース内に空気を吸い込むファンを回転駆動するファンモータと、前記ファンで吸い込まれた空気を本体ケース内で温めて温風として送風する一次熱交換器と、複数の遠心破砕円板と、前記遠心破砕円板に結合する揚水管とで構成する遠心破砕部と、前記遠心破砕部と結合するベースと、破砕モータのシャフトに結合するリングと、前記シャフトに結合するナットと、前記破砕モータの作動に基づいて、貯水部に貯留された水を細かな水粒に破砕するとともに、該水粒で前記一次熱交換器から送風される温風を加湿して前記本体ケース外に送風する加湿ユニットと、前記貯水部に給水の有無を決定する給水弁とを備え、前記ナットと前記リングとの間に緩衝材を設けたことを特徴とするミストサウナ装置。
【請求項２】
緩衝材をゴムとしたことを特徴とする請求項１に記載のミストサウナ装置。
【発明の詳細な説明】
【技術分野】
【０００１】
本発明は、液体微細化装置を備えるミストサウナ装置に関するものである。
【背景技術】
【０００２】
従来、この種のミストサウナ装置は、浴室内の空気が吸気口から本体内に吸い込まれ、一次加熱手段により加熱され、加熱された空気は微細化手段で微細化された水と混合されて加湿され、さらに二次加湿手段で加熱された後、送気口から浴室内に送風されるのもが知られている（例えば、特許文献１参照）。
【０００３】
以下、そのミストサウナ装置について図９を参照しながら説明する。
【０００４】
図９に示すようにミストサウナ装置では、サウナ運転時に、回転モータ１０１の駆動力で回転駆動される揚水管１０２で貯水部１０３から揚水される水が揚水管１０２に取り付けされた複数の回転板１０４から遠心力で飛散される。
【０００５】
そして、飛散された水は、筒状の経路の内壁１０５に衝突して破砕され、前述の加熱された空気と混合されて水蒸気化される。
【先行技術文献】
【特許文献】
【０００６】
【特許文献１】特開２０１２−１５２３０８号公報
【発明の概要】
【発明が解決しようとする課題】
【０００７】
このような従来のミストサウナ装置においては本体を運転させると回転手段が作動するが作動している間に回転手段が微振動し音が発生し入浴者に不快感を生じさせる、という課題を有していた。
【０００８】
そこで本発明は、上記従来の課題を解決するものであり、本体を運転させ回転手段を作動させても回転手段の微振動による音の発生による入浴者の不快感を生じさせないミストサウナ装置を提供することを目的とする。
【課題を解決するための手段】
【０００９】
そして、この目的を達成するために、本発明は、本体ケース内に空気を吸い込むファンを回転駆動するファンモータと、前記ファンで吸い込まれた空気を本体ケース内で温めて温風として送風する一次熱交換器と、複数の遠心破砕円板と、前記遠心破砕円板に結合する揚水管とで構成する遠心破砕部と、前記遠心破砕部と結合するベースと、前記破砕モータのシャフトに結合するリングと、前記シャフトに結合するナットと、前記破砕モータの作動に基づいて、貯水部に貯留された水を細かな水粒に破砕するとともに、該水粒で前記一次熱交換器から送風される温風を加湿して前記本体ケース外に送風する加湿ユニットと、前記貯水部に給水の有無を決定する給水弁とを備え、前記ナットと前記リングとの間に緩衝材を設けた、としたものであり、これにより所期の目的を達成するものである。
【発明の効果】
【００１０】
本発明によれば、本体ケース内に空気を吸い込むファンを回転駆動するファンモータと、前記ファンで吸い込まれた空気を本体ケース内で温めて温風として送風する一次熱交換器と、複数の遠心破砕円板と、前記遠心破砕円板に結合する揚水管とで構成する遠心破砕部と、前記遠心破砕部と結合するベースと、前記破砕モータのシャフトに結合するリングと、前記シャフトに結合するナットと、前記破砕モータの作動に基づいて、貯水部に貯留された水を細かな水粒に破砕するとともに、該水粒で前記一次熱交換器から送風される温風を加湿して前記本体ケース外に送風する加湿ユニットと、前記貯水部に給水の有無を決定する給水弁とを備え、前記ナットと前記リングとの間に緩衝材を設けた、という構成にしたことにより、ナットの回転方向の力を緩衝材で吸収することとなるので、本体を運転させ回転手段を作動させても回転手段の微振動による音の発生による入浴者の不快感を生じさせない、という効果を得ることができる。
【図面の簡単な説明】
【００１１】
【図１】本発明の実施の形態１のミストサウナ装置をサウナ室に設置した状態を示す斜視図
【図２】同ミストサウナ装置の底面側から見た斜視図
【図３】同ミストサウナ装置の内部構成を示す斜視図
【図４】同ミストサウナ装置の側構成図
【図５】同ミストサウナ装置の上面側から見た内部構成図
【図６】同ミストサウナ装置の電気的構成を示すブロック図
【図７】同ミストサウナ装置の水回路を示す概略図
【図８】同ミストサウナ装置の加湿ユニットを示す拡大図
【図９】従来のミストサウナ装置を示す側構成図
【発明を実施するための形態】
【００１２】
本発明の請求項１記載のミストサウナ装置は、本体ケース内に空気を吸い込むファンを回転駆動するファンモータと、前記ファンで吸い込まれた空気を本体ケース内で温めて温風として送風する一次熱交換器と、複数の遠心破砕円板と、前記遠心破砕円板に結合する揚水管とで構成する遠心破砕部と、前記遠心破砕部と結合するベースと、前記破砕モータのシャフトに結合するリングと、前記シャフトに結合するナットと、前記破砕モータの作動に基づいて、貯水部に貯留された水を細かな水粒に破砕するとともに、該水粒で前記一次熱交換器から送風される温風を加湿して前記本体ケース外に送風する加湿ユニットと、前記貯水部に給水の有無を決定する給水弁とを備え、前記ナットと前記リングとの間に緩衝材を設けた、という構成を有する。
【００１３】
これにより、ナットの回転方向の力を緩衝材で吸収することとなるので、本体を運転させ回転手段を作動させても回転手段の微振動による音の発生による入浴者の不快感を生じさせない、という効果を奏する。
【００１４】
また、緩衝材をゴムとした、という構成にしてもよい。
【００１５】
これにより、ナットの回転方向の力をゴムで吸収することとなるので、安価で加工性の良い部材を用いて本体を運転させ回転手段を作動させても回転手段の微振動による音の発生による入浴者の不快感を生じさせない、という効果を奏する。
【００１６】
以下、本発明の実施の形態について図面を参照しながら説明する。
【００１７】
（実施の形態１）
図１に示すように、サウナ室１内の天井面２に設けられてミストを供給するミストサウナ装置３が取り付けられている。ミストサウナ装置３には、温水器４（図６参照）から熱源として温水が循環往路管５ａを介して供給されるとともに、循環復路管５ｂを介して温水器４内に戻るようになっている。また、ミストサウナ装置３には、給水管６を介して水（市水）が供給される。なお、温水器４は、電気温水器及びガス温水器のいずれであってもよい。
【００１８】
図２に示すように、ミストサウナ装置３は、フロントパネル７の上方に本体ケース８が取着されている。そして、ミストサウナ装置３は、前記サウナ室１内にフロントパネル７を露出させた状態で、本体ケース８がサウナ室１の天井裏に設置されている。
【００１９】
前記フロントパネル７は、サウナ室１内の空気を吸い込む吸気口９と、サウナ室１内に高温高湿度のミストを送り出す送気口１０とが設けられている。
【００２０】
図３及び図４に示すように、前記本体ケース８内には主に一次熱交換器１１、送風機１２、加湿ユニット１３、二次熱交換器１４、水熱交換器１５が収容されている。
【００２１】
図４に示すように、一次熱交換器１１は、本体ケース８の吸気口９の上方に設置され、前記温水器４から供給される温水が循環する熱交換用コイル１６が上下方向に複数層に亘って往復方向に屈曲されて配設されている。
【００２２】
図３及び図４に示すように、送風機１２は、本体ケース８に回転可能に支持された一対のファン１７間にファンモータ１８が配設され、そのファンモータ１８の動作に基づいてファン１７が回転される。そして、ファン１７の回転に基づいてサウナ室１内の空気が吸気口９から吸い込まれ、その空気は一次熱交換器１１で温められた後、加湿ユニット１３に案内される。
【００２３】
図３及び図４に示すように、加湿ユニット１３は、前記本体ケース８の中央部において、前記ファン１７から温風が供給される位置に配設され、破砕モータ１９、揚水管２０、遠心破砕円板２１ａ〜２１ｄ、破砕壁２２、貯水部２３等を備えている。
【００２４】
図４に示すように、破砕モータ１９は、本体ケース８の上部に固定される。破砕モータ１９の出力軸２４は下方に延設されるとともに、出力軸２４の下端部には揚水管２０が取着されている。前記揚水管２０は上方に向かって直径が大きくなる逆円錐状の円筒であり、揚水管２０の上端部に取着される軸部を介して出力軸２４に固定されている。従って、揚水管２０は出力軸２４と一体に回転される。
【００２５】
図４に示すように、前記貯水部２３の底面は、出力軸２４を支持する位置が最も深くなる浅いすり鉢状に形成されている。また、前記揚水管２０の下端と貯水部２３の間には数ｍｍ程度の所要の隙間が確保されている。
【００２６】
図３及び図７に示すように、前記貯水部２３の側方位置には、定流量弁２５ａと、電磁弁２５ｂとで構成される給水部２６が配設され、その給水部２６には前記給水管６から供給された水が水熱交換器１５を通して供給される。そして、後述する制御部２７（図６参照）の動作により電磁弁２５ｂが開かれると、電磁弁２５ｂ及び定流量弁２５ａを介して水又は温水が貯水部２３に滴下される。
【００２７】
図３〜図５に示すように、前記揚水管２０の上部には４層の円板状の遠心破砕円板２１ａ〜２１ｄが水平方向となる状態で設けられている。最上層の遠心破砕円板２１ａは揚水管２０の上端部を水平方向に屈曲して形成され、その下方には同一形状の３枚の遠心破砕円板２１ｂ〜２１ｄが最上層の遠心破砕円板２１ａから取付具を介して吊下支持されている。
【００２８】
図４に示すように前記遠心破砕円板２１ａ〜２１ｄの間において、揚水管２０には揚水管２０の内外を連通させる四角形状の開口部２８が一定間隔毎に形成されている。
【００２９】
このような構成により、給水部２６から貯水部２３に水が供給され、貯水部２３に溜まった水の水面が揚水管２０の下端より上方に達している状態で前記破砕モータ１９の作動により揚水管２０が回転されると、貯水部２３に貯留されている水が遠心力により揚水管２０の内周面に沿って上方へ巻き上げられ、各開口部２８から各遠心破砕円板２１ａ〜２１ｄの上面を薄膜状となって案内された後、遠心破砕円板２１ａ〜２１ｄの周縁からその周囲に細かな水滴となって飛散される。
【００３０】
図３〜図５に示すように、前記揚水管２０に対し前記ファン１７の反対側には前記破砕壁２２が形成されている。破砕壁２２は遠心破砕円板２１ａ〜２１ｄを取り囲むように湾曲する衝立状に形成されるとともに、多数の破砕枠２９が上下方向に設けられて各破砕枠２９間が開口されている。そして、前記遠心破砕円板２１ａ〜２１ｄから飛散される細かな水滴が破砕壁２２及び破砕枠２９に衝突してさらに細かい水粒に破砕され、ファン１７から送風される温風により気化される。
【００３１】
前記揚水管２０とファンモータ１８との間には仕切り壁３０が設けられ、遠心破砕円板２１ａ〜２１ｄから飛散される水滴によるファンモータ１８の濡れを防止している。仕切り壁３０に付着した水滴は、貯水部２３に落下する。また、前記破砕壁２２に付着した水粒も貯水部２３に落下する。
【００３２】
前記破砕壁２２に対し、前記揚水管２０の反対側にはエリミネータ３１及び前記二次熱交換器１４が配設される。エリミネータ３１では破砕壁２２を通過した温風に含まれる水粒が除去され、水蒸気を含む高湿の空気が二次熱交換器１４に案内される。エリミネータ３１で除去された水粒は、貯水部２３に落下する。
【００３３】
二次熱交換器１４は、本体ケース８の送気口１０の上方に設置され、前記温水器４から供給される温水が循環する熱交換用コイルが往復方向に屈曲されて配設されている。そして、気化熱を奪われて温度が低下した温風が二次熱交換器１４で再加熱されて、前記送気口１０に案内される。
【００３４】
次に、本実施形態のミストサウナ装置３の水回路（水の流れ）について説明する。
【００３５】
図７に示すように、温水器４と接続される循環往路管５ａは、ミストサウナ装置３内で二股に分かれ、その一方が水熱交換器１５と接続され、その他方が一次熱交換器１１と接続される。水熱交換器１５は給水管６から第一接続管３３までの経路と、循環往路管５ａから第二接続管３４までの経路は、内部で区画分けされたものであり、複数の伝熱板を介して熱の授受が行われる。
【００３６】
なお、一次熱交換器１１と温水器４間においては、一次熱交換器１１への温水の供給を司る温水開閉弁３２が一次熱交換器１１と接続される循環往路管５ａに介在されている。
【００３７】
水熱交換器１５は、水が給水される給水管６と、温水器４と接続される循環往路管５ａと、加湿ユニット１３側と接続される第１接続管３３と、二次熱交換器１４と接続される第２接続管３４と接続されている。
【００３８】
給水部２６と接続される第１接続管３３は、給水部２６側の電磁弁２５ｂと接続され、前記給水管６側からの水を前記給水部２６に通水可能となっている。
【００３９】
また、二次熱交換器１４と接続される第２接続管３４は、温水器４の温水を二次熱交換器１４に供給可能となっている。ちなみに、二次熱交換器１４は、第３接続管３５を介して温水器４の循環復路管５ｂと接続される。このため、二次熱交換器１４は、温水器４に温水（水）を戻すことが可能となっている。なお、二次熱交換器１４側の第３接続管３５には流量制御弁３６が介在される。このため、流量制御弁３６により、二次熱交換器１４や熱交換器１５内を通過する水（温水）の流量が調整可能となっている。
【００４０】
次に、上記のように構成されたミストサウナ装置３の作用について説明する。
【００４１】
本実施形態のミストサウナ装置３では、サウナ室１内に高温多湿のミストを噴霧して、サウナ室１内の使用者に対してサウナ効果を付与するミスト噴霧運転が可能となっている。また、ミスト噴霧運転終了後にはミストサウナ装置３内の乾燥を行う乾燥運転が行われるようになっている。
【００４２】
（ミスト噴霧運転）
ミスト噴霧運転を開始するための制御信号が制御部２７に入力されると、制御部２７は、一次及び二次熱交換器１１，１４に温水が供給され、ファンモータ１８と破砕モータ１９とが回転駆動される。このとき、二次熱交換器１４に供給される温水は、温水器４の温水が水熱交換器１５を介して供給される。
【００４３】
次いで、制御部２７は、ファンモータ１８及び破砕モータ１９が正常に動作しているか否かを確認した後、給水部２６の電磁弁２５ｂを開放して、定流量弁２５ａから貯水部２３に水が略一定量ずつ供給される。ちなみに、貯水部２３に貯留される水は、前記水熱交換器１５を介して供給されるため、温水器４からの温水と熱交換されて、市水よりも温度が高くなる。
【００４４】
そして、サウナ室１内の空気が吸気口９からミストサウナ装置３内に吸い込まれ、一次熱交換器１１で温められて加湿ユニット１３に送られる。加湿ユニット１３では、揚水管２０が回転されて貯水部２３から水が巻き上げられ、その水が遠心破砕円板２１ａ〜２１ｄから細かな水滴となって周囲に飛散される。
【００４５】
遠心破砕円板２１ａ〜２１ｄから破砕壁２２に向かって飛散された水滴は、破砕壁２２に衝突してさらに細かい水粒となり、ファン１７から送風される温風により気化される。
【００４６】
そして、水蒸気を含む高湿の空気が二次熱交換器１４に案内されて再加熱されてミストとして、前記送気口１０からサウナ室１内に送り出される。
【００４７】
サウナ室１への高湿空気であるミストの送風が開始されると、制御部２７ではタイマー動作が開始される。そして、あらかじめ設定された時間を経てタイマー動作が終了したとき、電磁弁２５ｂを閉鎖し、乾燥運転を開始する。このとき、制御部２７では、タイマー動作が開始される。
【００４８】
そして、一次及び二次熱交換器１１，１４への温水の供給が維持され、ファンモータ１８と破砕モータ１９が回転駆動される。この動作により、貯水部２３に残った水は気化される。
【００４９】
このとき、制御部２７は、流量制御弁３６を開放して、水熱交換器１５内に温水器４からの約８０℃の温水が供給されるようになっている。このため、水熱交換器１５内では給水部２６側の水や給水管６側の水と熱交換が行われる。そのとき、給水部２６側の弁は閉止しているため、給水管６内の水の流動はなく、貯留された水は時間とともに８０℃近くまで上昇するその結果、給水部２６側の水や給水管６側の水、即ち次回ミスト噴霧運転時に貯水部２３に供給される予定の水が殺菌処理されることとなる。
【００５０】
次いで、例えばタイマーによる計測時間が所定時間経過したとき、制御部２７は、ファンモータ１８及び破砕モータ１９の作動を停止させる。そして、制御部２７は、一次熱交換器１１及び二次熱交換器１４への温水の供給が停止されて、ミスト噴霧運転後の乾燥運転が終了する。
【００５１】
そして、遠心破砕部４２（遠心破砕円板２１ａ〜２１ｄと揚水管２０で構成されている）と結合するベース４０（遠心破砕部４２とシャフトとしての出力軸２４とを固定させる役目をする）と、破砕モータ１９のシャフトとしての出力軸２４に結合するＤ形状のリング３９と、シャフトとしての出力軸２４に結合するナット４３と、破砕モータ１９の作動に基づいて、貯水部２３に貯留された水を細かな水粒に破砕するとともに、該水粒で一次熱交換器１１から送風される温風を加湿して本体ケース８外に送風する加湿ユニット１３と、貯水部２３に給水の有無を決定する、すなわち、貯水部２３にある決められた量の水がある場合は閉とし、ない場合は開とする給水弁２５とを備え、ナット４３とリング３９との間に緩衝材４１を設けた構成とする。
【００５２】
これにより、ナット４３の回転方向の力を緩衝材４１で吸収することとなるので、本体すなわち本体ケース８を運転させ回転手段としての破砕モータ１９を作動させても回転手段すなわち破砕モータ１９の微振動による音の発生による入浴者の不快感を生じさせない、という効果を奏する。
【００５３】
また、緩衝材４１をゴムとした構成とする。
【００５４】
これにより、ナット４３の回転方向の力をゴムで吸収することとなるので、安価で加工性の良い部材を用いて本体を運転させ回転手段としての破砕モータ１９を作動させても回転手段としての破砕モータ１９の微振動による音の発生による入浴者の不快感を生じさせない、という効果を奏する。
【００５５】
尚、上記実施形態は、以下のように変更してもよい。
【００５６】
・上記実施形態では、二次熱交換器１４を設ける構成を採用したが、二次熱交換器１４を省略する構成を採用してもよい。この場合、第２接続管３４を流量制御弁３６と接続し、第３接続管３５を省略する。
【００５７】
・上記実施形態では、熱源機としての温水器４と、ミストサウナ装置３とを別体としたが、これらを一体としてもよい。
【００５８】
・上記実施形態では、特に言及していないが、図７に示すように第１接続管３３を途中で二股に分け、その一方が給水部２６側の電磁弁２５ｂと接続し、その他方がスプラッシュノズル３８側の電磁弁３７と接続してもよい。ここで、スプラッシュノズル３８は、ノズル噴霧により供給された水を粉砕し、前述のミスト運転時のミストよりも粒径の大きなミストを供給するためのものである。このような構成とすることで２種類のミスト供給が可能となる。また、第１接続管３３は、その内部の水が前述のように乾燥運転時に殺菌処理が施されるため、このスプラッシュノズル３８によるミストを供給する場合でも、同様に殺菌済みの水を利用することができる。
【００５９】
・上記実施の形態では、特に言及していないが、第１の接続配管３３または電磁弁２５ｂに内部圧力が上昇した場合、外部あるいは下流側に圧力つまりは膨張した温水を逃す弁を設けてもよく、下流側に押し出された温水は定流量弁２５ａより貯水部２３に流れ、一方そのときは、乾燥運転を行っているため、貯水部２３に流れた水は乾燥されることとなる。
【産業上の利用可能性】
【００６０】
本発明にかかるミストサウナ装置は、回転体を作動させた際の微振動による音の発生の抑制を可能とするものであるので、回転機構を有する装置に使用される防振手段等として有用である。
【符号の説明】
【００６１】
１        サウナ室
２        天井面
３        ミストサウナ装置
４        温水器
５ａ      循環往路管
５ｂ      循環復路管
６        給水管
７        フロントパネル
８        本体ケース
９        吸気口
１０      送気口
１１      一次熱交換器
１２      送風機
１３      加湿ユニット
１４      二次熱交換器
１５      水熱交換器
１６      熱交換用コイル
１７      ファン
１８      ファンモータ
１９      破砕モータ
２０      揚水管
２１ａ    遠心破砕円板
２１ｂ    遠心破砕円板
２１ｃ    遠心破砕円板
２１ｄ    遠心破砕円板
２２      破砕壁
２３      貯水部
２４      出力軸
２５      給水弁
２６      給水部
２７      制御部
２８      開口部
２９      破砕枠
３０      仕切り壁
３６      流量制御弁
３７      電磁弁
３８      スプラッシュノズル
３９      リング
４０      ベース
４１      緩衝材
４２      遠心破砕部
４３      ナット
【図１】
2015062448.tif 000003
【図２】
2015062448.tif 000004
【図３】
2015062448.tif 000005
【図４】
2015062448.tif 000006
【図５】
2015062448.tif 000007
【図６】
2015062448.tif 000008
【図７】
2015062448.tif 000009
【図８】
2015062448.tif 000010
【図９】
2015062448.tif 000011